(57)【要約】【課題】マスクの鼻部分に配設されたワイヤー部材を所定の形状に簡易に成形することのできるマスク成形具を提供する。【解決手段】マスク成形具１は、山部１１が形成されてなる山型部１０と、山部１１に噛み合う形状の谷部２１が形成されてなる谷型部２０と、山型部１０と谷型部２０とを離間させる又は接近させるヒンジ部３０と、を備え、山型部１０と谷型部２０とが離間した準備状態αと、山型部１０と谷型部２０との間にワイヤー部材Ｗが介在した状態で、山型部１０と谷型部２０とが準備状態αにおける離間距離に比べて接近してなり、ワイヤー部材Ｗが山部１１及び谷部２１の間に挟まれて所定の形状に塑性変形される成形状態と、の各状態に選択的に状態変化自在とされる。【選択図】図１
0003234471.tif 000002
【実用新案登録請求の範囲】
【請求項１】
装着者の鼻部に対応する位置に配設された塑性変形自在なワイヤー部材を備えるマスクにおける当該ワイヤー部材を所定の形状に成形するマスク成形具であって、
前記鼻部の形状に対応した形状の山部が形成されてなる一側の型部と、
前記山部に噛み合う形状の谷部が形成されてなる他側の型部と、
前記一側の型部と前記他側の型部とを前記山部と前記谷部とが噛み合うように接近させる又は離間させる型部移動手段と、
を備え、
前記一側の型部と前記他側の型部とが離間した準備状態と、
前記一側の型部と前記他側の型部との間に前記ワイヤー部材が介在した状態で前記一側の型部と前記他側の型部とが前記準備状態における離間距離に比べて接近してなり、前記ワイヤー部材が前記山部及び前記谷部の間に挟まれて前記所定の形状に塑性変形される成形状態と、
の各状態に選択的に状態変化自在とされてなる
ことを特徴とするマスク成形具。
【請求項２】
前記型部移動手段は、
前記一側の型部及び前記他側の型部を連結するヒンジ構造を備えてなり、
前記ヒンジ構造が開閉動作することで前記一側の型部及び前記他側の型部が離間又は接近してなる
請求項１に記載のマスク成形具。
【請求項３】
前記型部移動手段は、
前記一側の型部又は前記他側の型部のうち少なくともいずれかを所定の摺動方向に沿って摺動させるガイド構造を備えてなり、
前記ガイド構造の案内作用によって前記一側の型部及び前記他側の型部が離間又は接近してなる
請求項１に記載のマスク成形具。
【請求項４】
請求項１乃至請求項３のいずれか１項に記載のマスク成形具を具備してなる人形体であって、
前記ワイヤー部材が挿通可能な外部連通口を有する内空部を含む人形本体を備え、
前記マスク成形具は、前記内空部に配置されてなり、前記一側の型部と前記他側の型部との間の空間が前記外部連通口に臨んでなる
ことを特徴とする人形体。
【請求項５】
装着者の鼻部に対応する位置に配設された塑性変形自在なワイヤー部材を備えるマスクにおける当該ワイヤー部材を所定の形状に成形するマスク成形具を具備してなる人形体であって、
前記ワイヤー部材が挿通可能な外部連通口を有する内空部を含む弾性変形自在な人形本体を備え、
前記マスク成形具は、
前記鼻部の形状に対応した形状の山部が形成されてなる一側の型部と、
前記山部に噛み合う形状の谷部が形成されてなる他側の型部と、
を備え、かつ、前記内空部に配置されて前記一側の型部及び他側の型部が前記内空部の内壁に配設されてなり、押圧されて前記人形本体が変形することで前記一側の型部と前記他側の型部とが、前記山部と前記谷部とが噛み合うように接近又は離間するものであり、前記一側の型部と前記他側の型部との間の空間が前記外部連通口に臨んでなり、
前記マスク成形具が
前記一側の型部と前記他側の型部とが離間した準備状態と、
前記一側の型部と前記他側の型部との間に前記ワイヤー部材が介在した状態で前記一側の型部と前記他側の型部とが前記準備状態における離間距離に比べて接近してなり、前記ワイヤー部材が前記山部及び前記谷部の間に挟まれて前記所定の形状に塑性変形される成形状態と、
の各状態に選択的に状態変化自在とされてなる
ことを特徴とする人形体。
【考案の詳細な説明】
【技術分野】
【０００１】
本考案は、マスクの形状を装着者の鼻部の形状に合わせるための塑性変形自在なワイヤー部材を所定の形状に成形するマスク成形具、及び当該マスク成形具を備えた人形体に関する。
【背景技術】
【０００２】
従来、例えば特許文献１に開示されているように、耳にマスク紐を引っ掛けて使用する簡易構造のマスクは、装着者の鼻の周りの密封性を向上するための塑性変形自在なワイヤー部材を備えたものが知られている。
【先行技術文献】
【特許文献】
【０００３】
【特許文献１】特開２０１６−７３４４４号公報
【考案の概要】
【考案が解決しようとする課題】
【０００４】
上述のワイヤー部材は、保管時のスペース確保のために使用前は折り曲げられていない直線形状とされ、一方、装着者が装着する際は、装着者の鼻部の形状に合わせて折り曲げられて使用される。
【０００５】
そこで本考案は、ワイヤー部材を所定の形状に簡易に成形することのできるマスク成形具を提供することを目的とする。
【０００６】
また本考案は、ワイヤー部材を所定の形状に簡易に成形することのできるマスク成形具を備えた人形体を提供することを目的とする。
【課題を解決するための手段】
【０００７】
本考案は、装着者の鼻部に対応する位置に配設された塑性変形自在なワイヤー部材を備えるマスクにおける当該ワイヤー部材を所定の形状に成形するマスク成形具であって、前記鼻部の形状に対応した形状の山部が形成されてなる一側の型部と、前記山部に噛み合う形状の谷部が形成されてなる他側の型部と、前記一側の型部と前記他側の型部とを前記山部と前記谷部とが噛み合うように接近させる又は離間させる型部移動手段と、を備え、前記一側の型部と前記他側の型部とが離間した準備状態と、前記一側の型部と前記他側の型部との間に前記ワイヤー部材が介在した状態で前記一側の型部と前記他側の型部とが前記準備状態における離間距離に比べて接近してなり、前記ワイヤー部材が前記山部及び前記谷部の間に挟まれて前記所定の形状に塑性変形される成形状態と、の各状態に選択的に状態変化自在とされてなることを特徴とするマスク成形具である。
【０００８】
かかる構成にあっては、前記一側の型部と他側の型部とで前記ワイヤー部材を挟むだけで当該ワイヤー部材を装着者の鼻部に合わせた形状とすることができる。
【０００９】
また、前記型部移動手段は、前記一側の型部及び前記他側の型部を連結するヒンジ構造を備えてなり、前記ヒンジ構造が開閉動作することで前記一側の型部及び前記他側の型部が離間又は接近してなる構成が提案される。
【００１０】
または、前記型部移動手段は、前記一側の型部又は前記他側の型部のうち少なくともいずれかを所定の摺動方向に沿って摺動させるガイド構造を備えてなり、前記ガイド構造の案内作用によって前記一側の型部及び前記他側の型部が離間又は接近してなる構成が提案される。
【００１１】
かかる構成とすることにより、前記型部の移動を従来から知られている一般的な構造で達成できる。
【００１２】
さらに本考案は、前記ワイヤー部材が挿通可能な外部連通口を有する内空部を含む人形本体を備え、前記マスク成形具は、前記内空部に配置されてなり、前記一側の型部と前記他側の型部との間の空間が前記外部連通口に臨んでなることを特徴とする人形体である。
【００１３】
また、本考案は、装着者の鼻部に対応する位置に配設された塑性変形自在なワイヤー部材を備えるマスクにおける当該ワイヤー部材を所定の形状に成形するマスク成形具を具備してなる人形体であって、前記ワイヤー部材が挿通可能な外部連通口を有する内空部を含む弾性変形自在な人形本体を備え、前記マスク成形具は、前記鼻部の形状に対応した形状の山部が形成されてなる一側の型部と、前記山部に噛み合う形状の谷部が形成されてなる他側の型部と、を備え、かつ、前記内空部に配置されて前記一側の型部及び他側の型部が前記内空部の内壁に配設されてなり、押圧されて前記人形本体が変形することで前記一側の型部と前記他側の型部とが、前記山部と前記谷部とが噛み合うように接近又は離間するものであり、前記一側の型部と前記他側の型部との間の空間が前記外部連通口に臨んでなり、前記マスク成形具が前記一側の型部と前記他側の型部とが離間した準備状態と、前記一側の型部と前記他側の型部との間に前記ワイヤー部材が介在した状態で前記一側の型部と前記他側の型部とが前記準備状態における離間距離に比べて接近してなり、前記ワイヤー部材が前記山部及び前記谷部の間に挟まれて前記所定の形状に塑性変形される成形状態と、の各状態に選択的に状態変化自在とされてなることを特徴とする人形体であってもよい。
【００１４】
かかる構成にあっては、人形体の内部に前記マスク成形具を備えることで、例えば子供にマスクの着用を促すべくマスクへの興味を抱かせたり刺激したりすることができる。
【考案の効果】
【００１５】
本考案にかかるマスク成形具は、ワイヤー部材を所定の形状に簡易に成形することができる効果がある。
【００１６】
また本考案にかかる人形体は、マスクを着用することに対して興味を抱かせることができる効果がある。
【図面の簡単な説明】
【００１７】
【図１】準備状態のマスク成形具を示す斜視図である。
【図２】成形状態のマスク成形具を示す斜視図である。
【図３】ワイヤー部材を成形した後の状態におけるマスク成形具を示す斜視図である。
【図４】人形体を示す説明図である。
【図５】その他の実施例であって、準備状態のマスク成形具を示す斜視図である。
【考案を実施するための形態】
【００１８】
以下に本考案を具体化した実施例を詳細に説明する。なお、本考案は、下記に示す実施例に限定されることはなく、適宜、設計変更が可能である。
【００１９】
〔実施例１〕
【００２０】
マスク成形具１は、マスク紐を耳に引っ掛けて使用するマスクＭに対して使用されるものであり、マスクＭにおける鼻部に対応する位置に備えられた塑性変形自在なワイヤー部材Ｗを所定形状に成形する機能を有している。
【００２１】
マスク成形具１は、図１に示すように、山部１１が形成された山型部１０と、山部１１に噛み合う形状の谷部２１が形成された谷型部２０と、を備えている。
【００２２】
前記山型部１０の上面部に形成された山部１１の形状は、装着者の鼻部の凸形状に対応した形状となっている。一方、谷型部２０の下面部に形成された谷部２１の形状は、山部１１に噛み合う形状となっている。なお、山型部１０により、本考案にかかる一側の型部が構成され、谷型部２０により、本考案にかかる他側の型部が構成される。
【００２３】
さらに、山型部１０の下端部には、板状の山型部接続板部１５の一端部が取り付けられており、同様に、谷型部２０の上端部には、板状の谷型部接続板部２５の一端部が取り付けられている。
【００２４】
そして、山型部接続板部１５の他端部及び谷型部接続板部２５の他端部には、ヒンジ部３０が設けられており、かかる構成により、山型部１０と谷型部２０とがヒンジ部３０を中心軸として互いに回動自在に接続されている。具体的に、山型部１０と谷型部２０とが、ヒンジ部３０を中心に開閉動作することで、互いに離間したり、山部１１と谷部２１とが噛み合うように接近したりする。なお、かかるヒンジ部３０、並びに山型部接続板部１５及び谷型部接続板部２５により、本考案にかかる型部移動手段が構成される。
【００２５】
次に、マスク成形具１の使用態様について説明する。
【００２６】
まず、図１に示すように、マスク成形具１の山型部１０と谷型部２０とを離間させた準備状態αとして、山部１１と谷部２１との間にマスクＭの上端部に配設されたワイヤー部材Ｗを位置させる。
【００２７】
そして図２に示すように、山型部１０と谷型部２０とを接近させて成形状態βとし、ワイヤー部材Ｗを山部１１と谷部２１との間に挟んで、マスクＭの表裏方向に折り曲げて塑性変形させる。
【００２８】
その後、図３に示すように、再度、山型部１０と谷型部２０とを離間させて、ワイヤー部材Ｗが塑性変形したマスクＭを取り出す。これにより、ワイヤー部材Ｗを所定形状に塑性変形させたマスクＭを得ることができる。
【００２９】
〔実施例２〕
マスク成形具１は、図４に示すように、人形体５０に内蔵されて使用することができる。さらに詳述すると、人形体５０は、内空部６２を備えた可撓性の人形本体６０を備え、内空部６２は、外部と連通する外部連通口６１が配設されている。
【００３０】
外部連通口６１は、マスクＭのワイヤー部材Ｗが配設された部分が挿通可能な寸法形状となっており、内空部６２にマスク成形具１が配設され、かつ、山型部１０と谷型部２０との間の空間が外部連通口６１に臨むように配置されている。具体的には、マスク成形具１の山型部接続板部１５と谷型部接続板部２５とが、内空部６２の内壁に接着剤等で貼着されて固定されている。なお、人形体５０の外観としては例えば実在の動物や空想上の生物等や、あるいはキャラクターなどが採用可能であり、外部連通口６１をそれらの口に対応させて山型部１０及び谷型部２０を歯や牙に見立てるようにした構成が提案される。また、他のデザインが採用されてももちろん良い。
【００３１】
そして、マスクＭのワイヤー部材Ｗ部分を、人形体５０の外部連通口６１に挿入し、その状態で人形体５０を押圧させて変形させることで、マスク成形具１を成形状態βとする。そうすると、実施例１と同様に、ワイヤー部材Ｗを所定形状に折り曲げ加工することができる。
【００３２】
上記実施例において、各部の寸法形状は適宜自由に選択可能である。
【００３３】
また、マスク成形具２にあっては、例えば図５に示すように、山型部１０の左右両端部に湾曲した長孔部７２を備えた長尺のレール部７１を配し、谷型部１０の左右両端部には長孔部７２に沿って摺動可能なガイド凸部７５を配置して、谷型部１０が長孔部７２の長さ方向を摺動方向として摺動自在なガイド構造を備えたものとしてもよい。
【００３４】
また、ガイド構造において、山型部１０及び／又は谷型部２０の摺動方向は、曲線状である必要はなく、例えば単純に上下動させるべく直線状であっても構わない。
【００３５】
また、山型部１０及び谷型部２０を、弾性変形自在な材料からなる人形本体６０における内空部６２の内壁に直接配設して、人形本体６０を押圧するなどして変形させて山型部１０及び谷型部２０を接近させたり離間させたりしてもよい。
【符号の説明】
【００３６】
１，２          マスク成形具
１０            山型部
１１            山部
１５            山型部接続板部
２０            谷型部
２１            谷部
２５            谷型部接続板部
３０            ヒンジ部
５０            人形体
６０            人形本体
６１            外部連通口６１
６２            内空部
７１            レール部
７２            長孔部
７５            ガイド凸部
Ｗ              ワイヤー部材
α              準備状態
β              成形状態
【図１】
0003234471.tif 000003
【図２】
0003234471.tif 000004
【図３】
0003234471.tif 000005
【図４】
0003234471.tif 000006
【図５】
0003234471.tif 000007